(57)【要約】  テレビ（１００）又はテレビ（１００）に関連する受信機（１１４）のためのユーザインタフェースは、ユーザが利用可能なオプションを表すタイル（１２０）の表示と、対応するオプションを選択するために表示されたタイル（１２０）のうちの１つを選択するコントロールとを備える。【特許請求の範囲】
【請求項１】
テレビ（１００）又は該テレビ（１００）に関連する受信機（１１４）のためのユーザインタフェースであって、
ユーザが利用可能なオプションを表すタイル（１２０）の表示と、
対応するオプションを選択するために前記表示されたタイル（１２０）のうちの１つを選択するコントロールと
を備える、ユーザインタフェース。
【請求項２】
各タイル（１２０）は異なるビデオソース（１０２〜１０９）を表す、請求項１に記載のユーザインタフェース。
【請求項３】
各タイル（１５２）は、前記テレビ（１００）に表示することができる異なるワイドスクリーンモードを表す、請求項１に記載のユーザインタフェース。
【請求項４】
各タイル（１９１）は、前記テレビ（１００）に対するキャリブレーション設定の異なる値を表す、請求項１に記載のユーザインタフェース。
【請求項５】
前記コントロールは、所望のオプションを表すタイルを選択するためのリモートコントロールユニット（１０１）を備える、請求項１に記載のユーザインタフェース。
【請求項６】
リモートコントロールユニット（１０１）は、種々のビデオソース（１０２〜１０９）を表す前記タイル（１２０）の表示を呼び出すボタン又はボタン列（１２４）を備える、請求項１に記載のユーザインタフェース。
【請求項７】
リモートコントロールユニット（１０１）は、前記テレビ（１００）に対する種々のワイドスクリーンモードを表す前記タイル（１５２）の表示を呼び出すボタン又はボタン列（１２４）を備える、請求項１に記載のユーザインタフェース。
【請求項８】
リモートコントロールユニット（１０１）は、前記テレビ（１００）に対するキャリブレーション設定の種々の値を表す前記タイル（１２０）の表示を呼び出すボタン又はボタン列（１２４）を備える、請求項１に記載のユーザインタフェース。
【請求項９】
各タイルはテキストラベル（１２２）に関連する、請求項１に記載のユーザインタフェース。
【請求項１０】
タイル（１２０）の異なるページ間で移動するためのページコントロールをさらに備える、請求項１に記載のユーザインタフェース。
【請求項１１】
テレビ（１００）又は該テレビ（１００）に関連する受信機（１１４）を制御する方法であって、
ユーザが利用可能なオプションを表す複数のタイル（１２０）を表示すること、及び
対応するオプションを選択するために前記表示されたタイル（１２０）のうちの１つを選択すること
を含む、テレビ又は該テレビに関連する受信機を制御する方法。
【請求項１２】
各タイルは、前記テレビ（１００）に表示することができる異なるワイドスクリーンモードを表す、請求項１８に記載のテレビ又は該テレビに関連する受信機を制御する方法。
【請求項１３】
リモートコントロールユニット（１０１）上のコントロールを使用して所望のオプションを表すタイルを選択するために前記タイル（１２０）間でインジケータを移動させることをさらに含む、請求項１８に記載のテレビ又は該テレビに関連する受信機を制御する方法。
【請求項１４】
テレビ（１００）又は該テレビ（１００）に関連する受信機（１１４）のためのユーザインタフェースであって、
タイル（１２０）の表示であって、各タイルは前記テレビ（１００）に利用可能な異なるビデオソース（１０２〜１０９）を表す、タイル（１２０）の表示と、
対応するビデオソース（１０２〜１０９）を選択するために前記表示されたタイル（１２０）のうちの１つを選択するコントロールと
を備える、ユーザインタフェース。
【請求項１５】
テレビ（１００）又は該テレビ（１００）に関連する受信機（１１４）のためのユーザインタフェースであって、
タイル（１５２）の表示であって、各タイルは前記テレビ（１００）に利用可能な異なるワイドスクリーンモードを表す、タイル（１５２）の表示と、
対応するワイドスクリーンモードを選択するために前記表示されたタイル（１５２）のうちの１つを選択するコントロールと
を備える、ユーザインタフェース。
【請求項１６】
テレビ（１００）又は該テレビ（１００）に関連する受信機（１１４）のためのユーザインタフェースであって、
タイル（１９１）の表示であって、各タイルは前記テレビ（１００）に対するキャリブレーション設定の異なる値を表す、タイル（１９１）の表示と、
キャリブレーション設定の対応する値を選択するために前記表示されたタイル（１９１）のうちの１つを選択するコントロールと
を備える、ユーザインタフェース。
【請求項１７】
キャリブレーション設定の選択された値を精密にする前記タイル（１９１）の反復表示をさらに備える、請求項４２に記載のユーザインタフェース。
【請求項１８】
タイル（１９１）の複数の表示をさらに備え、各表示は異なるキャリブレーション設定に対応する、請求項４２に記載のユーザインタフェース。
【請求項１９】
前記表示のタイルに照合されるべき基準画像（１９３）をさらに備える、請求項４２に記載のユーザインタフェース。
【請求項２０】
フィルタ（１９２）であって、ユーザがそれを通して前記タイル（１９１）の表示を見るフィルタ（１９２）をさらに備える、請求項４２に記載のユーザインタフェース。
【発明の詳細な説明】
【技術分野】
【０００１】
本発明は、ビデオソース、ワイドスクリーンモード又はキャリブレーション設定のタイル化を含むユーザインタフェースに関する。
【背景技術】
【０００２】
［背景］
大部分のビデオ又はホームエンターテイメントシステムでは、放送され録画されたテレビ番組を観るために、テレビ又はビデオモニタが使用される。こうした番組を、その娯楽価値、教育価値又は情報価値のために享受することができる。
【０００３】
テレビ受像機に表示される番組を伝播する放送信号は、たとえば地上波アンテナ、ケーブルテレビシステム又はパラボラアンテナから来る可能性がある。最近のユーザは、何百ものチャネルの番組とともに、ペイ・パー・ビューサービス、ビデオ・オン・デマンドサービス及び他のサービスにアクセスすることも可能である。
【０００４】
多種多様の録画機、再生機及び同様のビデオ機器もまた、テレビ受像機又はビデオモニタに表示するビデオ信号を提供することができる。このため、ユーザは、放送番組と同様に録画番組を観ることができる。
【発明の開示】
【課題を解決するための手段】
【０００５】
［概要］
テレビ又はテレビに関連する受信機のためのユーザインタフェースは、ユーザが利用可能なオプションを表すタイルの表示と、対応するオプションを選択するために表示されたタイルのうちの１つを選択するコントロールとを備える。
【０００６】
添付図面は、本発明のさまざまな実施形態を示し、明細書の一部である。図示する実施形態は、単に本発明の例であり、発明の範囲を限定するものではない。
【０００７】
図面を通して、同一の参照符号は類似するが必ずしも同一ではない要素を示す。
【発明を実施するための最良の形態】
【０００８】
［詳細な説明］
上述したように且つ図１に示すように、ビデオ又はホームエンターテイメントシステムは、通常、テレビ受像機（１００）又は他のビデオモニタを含む。本明細書及び添付の特許請求の範囲で使用する「テレビ」又は「テレビ受像機」という用語は、限定されないが、ブラウン管装置、リアプロジェクションテレビ（ＲＰＴＶ）、他の投影システム、液晶ディスプレイ、プラズマモニタ及び他のフラットパネルディスプレイを含む、ビデオ信号を表示することができる任意のテレビ受像機又はビデオモニタを広く指す。
【０００９】
種々のビデオソースが、ユーザに対し、テレビ受像機に表示するビデオ番組を提供することができる。図１に示すように、こうしたビデオソースには、限定されないが、ケーブルテレビシステム（１０４）、衛星放送システムと通信するパラボラアンテナ（１０３）、ビデオゲームシステム（１０５）、デジタルビデオディスク（ＤＶＤ）プレイヤ（１０２）、ビデオカセットレコーダ（ＶＣＲ）（１０７）、ビデオカメラ又はカムコーダ（１０６）、パーソナルビデオレコーダ（ＰＶＲ）又はデジタルビデオレコーダ（ＤＶＲ）（１０９）若しくはコンピュータ（１０８）が含まれてもよい。本明細書及び添付の特許請求の範囲で使用する「ビデオソース」又は「ソース」は、テレビ受像機で表示されるか又は録画装置に記録されるビデオ信号を出力する任意の装置又はシステムを広く指す。
【００１０】
図１に示すように、ビデオソースのアレイ（１０２〜１０９）を、テレビ受像機（１００）に接続しそれにビデオ信号を提供してもよい。テレビ受像機（１００）を、キーパッド又はボタン等、テレビ自体のユーザ入力デバイスで制御してもよい。さらに、テレビ受像機（１００）を、リモートコントロールユニット（１０１）を使用して制御してもよい。リモートコントロールユニット（１０１）は、テレビ受像機（１００）と無線で通信することにより、リモートコントロールユニット（１０１）に入力されたユーザ入力及びコマンドをテレビ受像機（１００）に送信する。リモートコントロールユニット（１０１）は、たとえば赤外線信号又は無線周波数（ＲＦ）信号を使用してテレビ受像機（１００）又は他のシステムコンポーネントと通信してもよい。
【００１１】
図１から明らかとなるように、ユーザは、多種多様のソースから選択することができる。ユーザは、テレビ受像機（１００）で表示される信号をいずれのソース（１０２〜１０９）から取得するかを選択することができる。これは通常、リモートコントロールユニット（１０１）を用いてテレビ受像機（又は後述するように受信機）を制御することによって行われる。しかしながら、こうした選択すべき多種多様のソースがあることにより、ユーザが、観たいビデオソースを特定し選択することが困難である可能性がある。
【００１２】
テレビ受像機（１００）は、通常、異なる信号ソースを接続することができる複数のビデオ入力を含む。これら入力を、たとえば「ビデオ１」、「ビデオ２」、「ビデオ３」、「ビデオ４」等と指定してもよい。システムによっては、入力を、その入力に接続されるソースのタイプによって指定してもよい。このため、さまざまな入力のセットを、たとえば「衛星」、「ＤＶＤ」、「ゲームシステム」等として指定してもよい。
【００１３】
しかしながら、ユーザが、指定されたものとは異なるタイプのビデオソースを接続する場合、テレビ（１００）は、ビデオソースが指定されたものではないと判断する手段を有していない可能性がある。これにより、ユーザが、特定の時刻に所望の特定のビデオソースを見つけて選択することがさらに難しくなる可能性がある。
【００１４】
したがって、本明細書では、所望の信号ソースの選択を容易にするユーザインタフェースについて説明する。図２は、本明細書で説明する原理によるビデオソースのタイル化を含むこうしたユーザインタフェースの図である。図２に示すように、説明するユーザインタフェースの主要部分は、テレビ受像機（１００）の画面上に表示される。ユーザインタフェースは、利用可能なさまざまな信号ソースのタイル化表示を含み、それは、ユーザインタフェースが、テレビ受像機（１００）の画面上に配置される複数のウィンドウ又はタイル（１２０）を含むことを意味する。各タイル（１２０）において、ユーザインタフェースは、対応するビデオソースから受け取られているビデオ信号から動画を表示する。これは、ユーザが、入来するビデオソースのすべてを同時に観ることができるように複数の異なるテレビ受像機を有するようなものである。しかしながら、タイルはすべて、いくつかのテレビにおけるピクチャ・イン・ピクチャ（Picture-in-Picture）機能と同様に１つのユーザインタフェースに含まれる。いくつかの例では、ユーザは、そのタイルによって表されるビデオソースからのタイル（１２０）の各々においてフルモーションビデオフィードを見る。他の例では、ビデオソースからの画像は、対応するタイル（１２０）において連続的に更新されることにより、各ビデオソースからリアルタイムの動的ビデオを代りに提供する。リアルタイムビデオをこのように、１つのビデオソースから次のビデオソースに又は同様に１つの設定（たとえばワイドスクリーン）から次の設定に高速に解析するように、テレビ（１００）のマイクロプロセッサ（図４の１１１）にあるスケーラ、ビデオキャプチャ／レンダラを使用することによって、達成することができる。したがって、ユーザは、各ビデオソースから何の番組が受け取られているかを見ることができ、そのため、所望のビデオソースを容易に選択することができる。
【００１５】
図２に示す例では、テレビ受像機（１００）は、４つの異なるビデオソースに接続されている。このため、４つの異なるウィンドウ又はタイル（１２０）が表示されており、各々、特定のビデオソースからのビデオ信号を表し表示している。これを、本明細書ではタイル化と呼ぶ。なぜなら、各ビデオソースは別個のウィンドウ又はタイルによって表され、複数のウィンドウ又はタイルが、ユーザインタフェースのオンスクリーン部分を形成するようにテレビ（１００）の画面にわたって配置されるためである。
【００１６】
テレビ（１００）がそのビデオソースから信号を受け取っている対応する入力のセットに従って、さまざまなタイル（１３０）にラベル付け（１２２）してもよい。このため、図２に示す４つのタイル（１２０）は、「ビデオ１」、「ビデオ２」、「ビデオ３」及び「ビデオ４」としてラベル付けされる。こうしたラベル（１２２）は、所望のビデオソースを見つけるために特に役に立たない場合もあるが、対応するタイル（１２０）においてそのビデオソースから番組を見ることにより、ユーザが所望のビデオソースを選択することが容易になる。
【００１７】
ボックス（１２１）又は、ユーザインタフェースにおける他のハイライト若しくはインジケータは、さまざまなタイルのうちの１つ、たとえば図２における「ビデオ１」とラベル付けされた左上のタイルを指示する。このボックス（１２１）を、たとえばボタン（１２４）又はリモートコントロールユニット（１０１）の他の入力デバイスを使用してタイルからタイル（１２０）に移動させてもよい。リモートコントロールユニット（１０１）において選択又は「入力」ボタン（１２５）が起動されると、ボックス（１２１）によって指示されるタイルによって表されるソースが選択され、そのソースからの信号がテレビ（１００）に表示される（たとえば図２のビデオ１）。通常、この後、テレビ（１００）の画面全体が、選択されたソースからの番組のみを表示する。
【００１８】
別法として、タイル（１２０）の各々に番号を付してもよい。そして、所望のタイルが、ユーザが、そのタイルに関連する数字をたとえばリモートコントロールユニット（１０１）に入力することによって指示される。
【００１９】
リモートコントロールユニット（１０１）の専用ボタン（１２３）を使用して、説明したユーザインタフェースを呼び出してもよい。このため、ユーザが「ソース選択」ボタン（１２３）を起動すると、説明したユーザインタフェースが呼び出され、そこではさまざまな利用可能なソースがタイル（１２０）によって表される。そして、上述したように、異なるビデオソースを選択することができる。実施形態によっては、ソース選択ボタン（１２３）を再び起動して、システムを、ソース選択ボタン（１２３）が起動される前に表示されていたビデオソースを表示するように戻すことができる。
【００２０】
図３は、本明細書で説明する原理によるビデオソース及び追加の機能のタイル化を含む代替のユーザインタフェースの図である。図３に示すように、さまざまなタイル（１２０）に対し、表されるビデオソースのタイプの何らかの指示を与えるようにラベル付けすることができる。これは、たとえば特定のビデオ入力をゲームシステム用であるように指定するとともにゲームシステムをそのビデオ入力に接続させることによって達成される。このため、図３のタイル（１２０）は、左上で開始し右回りに移動して、「ゲーム」、「衛星」、「ＤＶＤ」及び「ケーブル」とラベル付けされる。これらラベル（１３０）は、ユーザが所望のビデオソースを識別するのに役立つことができる。
【００２１】
さらに、５つ以上のビデオソースが利用可能であってもよい。したがって、実施形態によっては、ユーザインタフェース画面に５つ以上のタイルが表示されてもよい。他の実施形態では、提示される、利用可能なビデオソース１つ１つに対してタイルが提供されるように、タイルが２ページ以上あってもよい。こうした例では、タイルのサイズは、より多くのタイルに対応するように低減されない。このため、ユーザが、対応するビデオソースを表す任意の特定のタイルに示されているビデオ番組を観察し認識することは依然として容易である。
【００２２】
図３に示す例では、５つ以上のビデオソースを表すタイル（１２０）の複数のページがある。したがって、ユーザがタイル（１２０）をページ間で移動させることができるように、インタフェースにページ矢印（１３１）を追加してもよい。ページ矢印（１３１）を強調表示し選択することにより、たとえばリモートコントロールユニット（１０１）によって制御されるボックス（１２１）を使用して、ユーザインタフェースはタイル（１２０）の異なるページを表示するようになされる。このため、複数のページの任意の数のタイルによって任意の数のビデオソースを表すことができる。
【００２３】
図４は、本明細書で説明する原理によるテレビ受像機を備えるビデオ又はホームエンターテイメントシステムの図である。図４は特に、上述したように、テレビ受像機（１００）の主な内部構成要素を示す。
【００２４】
図４に示すように、テレビ受像機（１００）は、リモートコントロールユニット（１０１）と通信する無線送受信機（１１０）を有する。テレビ受像機（１００）はまた、プロセッサ（１１１）及びメモリユニット（１１２）も有する。システムバス（１１３）が、テレビ受像機（１００）のさまざまな構成要素を相互接続する。
【００２５】
メモリユニット（１１２）に格納されプロセッサ（１１１）によって実行されるファームウェア又は電子プログラミングは、本明細書で説明するようなユーザインタフェース及び結果として生じる機能すべてを含むテレビ受像機（１００）を提供する。さらなるユーザインタフェース機能については後述する。しかしながら、本明細書で説明するユーザインタフェースの特徴及び機能のすべてを、部分的に、図４に示すプロセッサ（１１１）に対して適当なプログラミングで実現してもよいことは理解されるであろう。
【００２６】
図５は、本明細書で説明する原理による受信機を備えるビデオ又はホームエンターテイメントシステムの図である。理解されるように、上述したユーザインタフェースを、テレビ受像機（１００）ではなく受信機（１１４）によってサポートしてもよい。
【００２７】
図５の例では、受信機（１１４）は、利用可能なビデオソース（たとえば１０２〜１０７）のうちの任意のもの又はすべてに接続される。受信機（１１４）は、ソースのうちの１つからのビデオ信号を、テレビ受像機（１０１）に表示されるためにテレビ受像機（１００）に選択的に出力する。このため、受信機（１１４）は、本明細書で説明するユーザインタフェースを生成し、テレビ受像機（１００）にユーザインタフェースのオンスクリーン部分を表示し、無線リモートコントロールユニット（１０１）からユーザ入力を受け取ってもよい。
【００２８】
したがって、図５に示すように、受信機（１１４）は、リモートコントロールユニット（１０１）と通信する無線送受信機（１１０）を有する。受信機（１１４）はまた、プロセッサ（１１１）及びメモリユニット（１１２）も有する。システムバス（１１３）が、受信機（１１４）のさまざまな構成要素を相互接続する。
【００２９】
メモリユニット（１１２）に格納されプロセッサ（１１１）によって実行されるファームウェア又は電子プログラミングは、受信機（１１４）に対し、本明細書で説明するようなユーザインタフェース及び結果として生じる機能のすべてを提供する。さらなるユーザインタフェースの機能については後述する。しかしながら、本明細書で説明するユーザインタフェースの特徴及び機能のすべてを、部分的に、図５に示す受信機（１１４）のプロセッサ（１１１）に対して適当なプログラミングで実現してもよいことは理解されるであろう。
【００３０】
図６は、図１〜図５に関連して説明したユーザインタフェース及びシステムを動作させる方法を説明するフローチャートである。図６に示すように、たとえば対応するリモートコントロールユニットにおいて「ソース選択」ボタン又はボタン列が起動されると（判断１４０）、ユーザインタフェースが呼び出される。そして、上述したユーザインタフェースが表示され、タイルが、利用可能なビデオソースの各々を表しそのソースから受け取られている番組を表示する（ステップ１４１）。
【００３１】
そして、ユーザは、所望のビデオソースを表すタイルが指示されるまで、インタフェースのタイルの間でインジケータを移動させることができる。ユーザが、指示されたタイル及び対応するビデオソースを選択すると（判断１４２）、対応するビデオソースが選択され、そのビデオソースからの番組が表示される（ステップ１４３）。ユーザは、新たなビデオソースを選択するように望まない場合、ユーザインタフェースを終了し異なるビデオソースに対するタイルの表示を中断するように選択することができる（判断１４４）。
【００３２】
図７は、本明細書で説明する原理によるワイドスクリーンモードのタイル化を含むユーザインタフェースの図である。当業者には理解されるように、ビデオ番組を提示することができる複数のさまざまなワイドスクリーンフォーマットがある。これらワイドスクリーンフォーマットには、限定されないが、１６：９、４：３、レターボックス形式ＤＶＤ、ピラーボックス形式（Pillar Boxed）ＡＴＳＣストリーム及びシネマワイドＤＶＤがある。したがって、ユーザが最適なワイドスクリーン表示モードを選択することは困難である。常に、ユーザは、選択される入力及びワイドスクリーンモードに応じて現われる水平及び垂直の黒いバーに関して不満を感じる。
【００３３】
以前は、テレビ受像機によっては、連続して循環することができるあらゆるワイドスクリーンモードが利用可能であった。テレビによっては、ユーザがワイドスクリーンモードを選択するためにスクロールすることができるワイドスクリーンモードのリストを表示する。しかしながら、こうしたリストのワイドスクリーンモードの名前は、任意であって、たとえば「ワイド１」、「ワイド２」、「ズーム１」、「パノラマ」等であり、ユーザにとってはほとんど意味がない。さらに、ユーザがいずれを好むか判断するために異なるワイドスクリーンモードを比較することは非常に困難である。
【００３４】
したがって、図７に示すユーザインタフェースは、複数のタイル（１５２）を提供し、それらの各々は異なるワイドスクリーンモードを表し、タイルがテレビ受像機（１００）画面全体であるかのように、そのワイドスクリーンモードがいかに見えるかを示す。図７のタイルに示すビデオ信号は、選択されたビデオソースからの入来する番組であってもよく、又はテレビ受像機（１００）若しくは受信機（図５の１１４）のメモリに格納された静止画像若しくはビデオクリップであってもよい。図７に示すように、さまざまなワイドスクリーンモードの各々にラベル付け（１５１）してもよい。右上で開始して時計回りに移動すると、図７の例のタイルに対するラベルは、「標準」、「ワイド」、「パノラマ」及び「ズーム」である。
【００３５】
ボックス（１２１）又は、ユーザインタフェースの他のハイライト若しくはインジケータは、さまざまなタイルのうちの１つ、たとえば図７において「ワイド」とラベル付けされた右上のタイルを示す。上述したように、このボックス（１２１）を、たとえばボタン（１２４）又はリモートコントロールユニット（１０１）の他の入力デバイスを使用して、タイルからタイル（１５２）へ移動させてもよい。リモートコントロールユニット（１０１）において選択又は「入力」ボタン（１２５）が起動されると、ボックス（１２１）によって指示されるタイルによって表されるワイドスクリーンモードが選択される。そして、テレビ（１００）は、その選択されたワイドスクリーンモード、たとえば図７の「ワイド」を使用して選択された番組を表示する。
【００３６】
リモートコントロールユニット（１０１）の専用ボタン（１５０）を使用して、説明したユーザインタフェースのワイドスクリーンモード選択機能を呼び出してもよい。このように、ユーザが「ワイドスクリーン選択」ボタン（１５０）を起動すると、説明したようなユーザインタフェースが呼び出され、利用可能なさまざまなワイドスクリーンモードがタイル（１５２）によって表される。そして、所望のワイドスクリーンモードを選択することができる。利用可能なさまざまなワイドスクリーンモードの比較はまた、さまざまな利用可能なワイドスクリーンモードの表現を並べて表示することによって容易になる。実施形態によっては、ワイドスクリーン選択ボタン（１２５）を再び起動することにより、現在のワイドスクリーンモードを変更することなくユーザインタフェースを終了することができる。
【００３７】
図８は、図７に関連して説明したユーザインタフェース及びシステムを動作させる方法を説明するフローチャートである。図８に示すように、たとえば対応するリモートコントロールユニットにおいて「ワイドスクリーン選択」ボタン又はボタン列が起動されると（判断１６０）、ユーザインタフェースが呼び出される。そして、上述したユーザインタフェースが表示され、タイルが利用可能なワイドスクリーンモードの各々を表す（ステップ１６１）。
【００３８】
そして、ユーザは、所望のワイドスクリーンモードを表すタイルが指示されるまでインタフェースのタイル間でインジケータを移動させることができる。ユーザが、指示されたタイル及び対応するワイドスクリーンモードを選択すると（判断１６２）、対応するワイドスクリーンモードが選択され、テレビ受像機の番組がそのワイドスクリーンモードで表示される（ステップ１６３）。ユーザは、新たなワイドスクリーンモードを選択することを望まない場合、ユーザインタフェースを終了し、異なるワイドスクリーンモードに対するタイルの表示を中断するように選択することができる（判断１６４）。上述したように、ユーザが所望のワイドスクリーンモードを選択することができるようにするファームウェアを、テレビ受像機（１００）のメモリ（図４の１１２）に格納することができる。
【００３９】
ここで、テレビ受像機（１００）を較正する方法及びそのためのユーザインタフェースについて説明する。環境条件の特定のセットの下で特定のテレビ（１００）から最良の画像を取得するために、テレビ（１００）のユーザインタフェースにおいて調整することができる複数のキャリブレーション設定がある。これらキャリブレーション設定には、色、輝度、コントラスト、色相等がある。
【００４０】
ユーザは、自身のテレビ受像機を自身の家庭視聴環境に対して較正するのに苦労することが多い。従来の表示キャリブレーションには、基準画像とのパターン照合を含む多数のステップを伴うキャリブレーションＤＶＤが必要である。キャリブレーションＤＶＤは、時にカラーフィルタを使用して、一定の基準画像のように見えるように想定される特別なテストパターンを表示する。ユーザは、テストパターンが基準画像に一致するまで、たとえばスライダバーをスライドさせることにより、テレビ上の１つ又は複数の特定の設定を変更すると想定される。その結果、わざわざ自身のテレビを最適な画質のために較正するユーザはほとんどいない。キャリブレーションＤＶＤを用いる場合であっても、正しい色に一致させるためには、人によって異なる判断が必要である。
【００４１】
図９は、本明細書で説明する原理による或る範囲のキャリブレーション設定のタイル化を含むユーザインタフェースの図である。図９に示すように、複数のタイル（１９１）が表示される。各タイルは、テレビ（１００）に対する特定のキャリブレーション設定、たとえば色相に対する異なる値を表す。このため、さまざまなタイル（１９１）は、テレビ受像機（１００）において利用可能な色相（又は他のキャリブレーション設定）の全範囲を表す。
【００４２】
そして、ユーザは、タイル（１９１）を見て、カード（１９３）上の基準画像に外観が最も近いタイルを選択する。これは、たとえば、上述したように選択ボタンを起動する前にリモートコントロールユニット（１０１）のボタンを使用してボックス（１２１）又は他のインジケータをタイル（１９１）間で移動させることによって行われる。ユーザは、最も一致するタイル（１９１）を選択すると、フィルタ（１９２）（赤、緑、青、又は何らかのプロプライエタリなフィルタ）を通してテレビ（１００）の画面上でユーザインタフェースを見ることができる。
【００４３】
実施形態によっては、選択が行われると、調整されている特定のキャリブレーション設定に対するより狭い範囲の値を表すタイル（１９１）の別のセットが表示される。このより狭い範囲の値は、先のユーザインタフェース画面上で選択されたキャリブレーションタイルによって表される値を中心にしてもよい。この反復プロセスを通して、テレビ（１００）のキャリブレーションをさらに精密にしてもよい。
【００４４】
基準画像（１９３）に基づいて１つのキャリブレーション設定が最適化された後、たとえば輝度等の異なるキャリブレーション設定に対する設定の範囲を表す別のタイル（１９１）のセットを表示することができる。このプロセスは、さまざまなキャリブレーション設定のすべてが基準画像に一致しユーザ選択によって最適化されるまで続く。このため、ユーザ選択を使用して、テレビ（１００）は、周囲の環境又は環境条件に基づいて表示画像を最適化することができる。
【００４５】
このキャリブレーションプロセスを、たとえばリモートコントロールユニット（１０１）上の専用ボタン（１９０）又はボタン列を押すことによって呼び出すことができる。別法として、キャリブレーションプロセスを、テレビ（１００）自体のボタン又は他のユーザ入力デバイスを起動することによって呼び出してもよい。
【００４６】
このように、常に手近であるとは限らないキャリブレーションＤＶＤを使用する代りに、テレビ（１００）にキャリブレーション設定機能が組み込まれる。上述したように、キャリブレーションタイル（１９１）、及びユーザが上述したようなキャリブレーション設定を制御することができるようにするファームウェアを、テレビ受像機（１００）のメモリ（図４の１１２）に格納することができる。さらに、ユーザに、スライダバー等を使用して画像設定を手動で調整させる代わりに、テレビは、単に、あり得る範囲のキャリブレーション設定を表示し、ユーザが、タイル化された画像の選択肢から、基準画像（１９３）に最も近く見える画像を選択することができるようにする。
【００４７】
図１０は、図９に関連して説明したユーザインタフェース及びシステムを動作させる方法を説明するフローチャートである。図１０に示すように、たとえば対応するリモートコントロールユニットにおいて「キャリブレーション」ボタン又はボタン列が起動されると（判断１５３）、キャリブレーションユーザインタフェースが呼び出される。そして、上述したユーザインタフェースが表示され、タイルが特定のキャリブレーション設定に対する或る範囲の値を表す（ステップ１５４）。
【００４８】
そして、ユーザは、基準画像に最も厳密に一致するタイルを選択するために、インタフェースのタイル間でインジケータを移動させることができる。ユーザが指示されたタイル及び対応するキャリブレーション設定を選択すると（判断１５５）、そのキャリブレーション設定が選択され、テレビ受像機上の表示が、そのキャリブレーション設定に従って調整される（ステップ１５７）。上述したように、このプロセスを、特定のキャリブレーション値をより精密にし且つ／又は利用可能なキャリブレーション設定の各々に対して値を選択するために反復することができる（判断１５８）。ユーザは、一旦呼び出されたキャリブレーションプロセスを完了することを望まない場合、ユーザインタフェースを終了するように選択することができる（判断１５６）。
【００４９】
また、タイルを、図２、図３及び図７に示すようなマトリックス又はアレイパターンで方向付けなくてもよいことにも留意されるべきである。別法として、タイル（１２０）を、テーブルの上の紙のように、表示されているビデオの角とグラフィカルにオーバラップさせてもよい。タイル（１２０）を、選択するためのスクロールホイールの動きを用いて円形パターンに方向付けることも可能である。本明細書で説明するユーザインタフェース内で、タイル（１２０）に対する任意の配置を使用してもよい。
【００５０】
上述した説明は、本発明の実施形態を例示し説明するためにのみ提示した。それは、網羅的であるようにも、本発明を開示したいかなる厳密な形態に限定するようにも意図されていない。上記教示に鑑みて多くの変更及び変形が可能である。本発明の範囲は、以下の特許請求の範囲によって定義されることが意図されている。
【図面の簡単な説明】
【００５１】
【図１】本明細書で説明する原理によるビデオ又はホームエンターテイメントシステムの図である。
【図２】本明細書で説明する原理によるビデオソースのタイル化を含むユーザインタフェースの図である。
【図３】本明細書で説明する原理によるビデオソースのタイル化を含む代替のユーザインタフェースの図である。
【図４】本明細書で説明する原理によるテレビ受像機を備えるビデオ又はホームエンターテイメントシステムの図である。
【図５】本明細書で説明する原理による受信機を備えるビデオ又はホームエンターテイメントシステムの図である。
【図６】図１〜図５に関連して説明したユーザインタフェース及びシステムを動作させる方法を説明するフローチャートである。
【図７】本明細書で説明する原理によるワイドスクリーンモードのタイル化を含むユーザインタフェースの図である。
【図８】図７を参照して説明したユーザインタフェース及びシステムを動作させる方法を説明するフローチャートである。
【図９】本明細書で説明する原理によるキャリブレーション設定のタイル化を含むユーザインタフェースの図である。
【図１０】図９に関連して説明したユーザインタフェース及びシステムを動作させる方法を説明するフローチャートである。
【図１】
2008512941.tif 000002
【図４】
2008512941.tif 000003
【図５】
2008512941.tif 000004
【図６】
2008512941.tif 000005
【図８】
2008512941.tif 000006
【図１０】
2008512941.tif 000007
【図２】
2008512941.tif 000008
【図３】
2008512941.tif 000009
【図７】
2008512941.tif 000010
【図９】
2008512941.tif 000011
【国際調査報告】
2008512941.tif 000012
2008512941.tif 000013
2008512941.tif 000014